(57)【要約】【課題】上ケースを下ケースに接続する際の接続端子の接続が簡単に行える電気掃除機を提供すること。【解決手段】この発明の電気掃除機は、下ケース２０と、この下ケース２０の上に着脱可能に接続された上ケース５０と、この上ケース５０の上面に設けたハンドル９０と、下ケース２０と上ケース５０のどちらか一方に設けた電動部（電動送風機８０）と、他方のケースに設けられるとともに電動部に電力を供給するための電源部（バッテリ２５）と、下ケース２０に設けた第１接続端子（電源端子７２）と、上ケース５０に設けられるとともに下ケース２０にこの上ケース５０を接続した際に第１接続端子に接続される第２接続端子（接続端子７４）とを備え、第１接続端子と第２接続端子とが接続されることにより電動部に電源部からの電力が供給可能となる電気掃除機であって、ハンドル９０の把手部９０Ａの延びる方向に位置して第１，第２接続端子を設けた。【選択図】　図２
2004073231.tif 000002
【特許請求の範囲】
【請求項１】
下ケースと、この下ケースの上に着脱可能に接続された上ケースと、この上ケースの上面に設けたハンドルと、前記下ケースと上ケースのどちらか一方に設けた電動部と、他方のケースに設けられるとともに前記電動部に電力を供給するための電源部と、前記下ケースに設けた第１接続端子と、上ケースに設けられるとともに下ケースにこの上ケースを接続した際に前記第１接続端子に接続される第２接続端子とを備え、前記第１接続端子と第２接続端子とが接続されることにより前記電動部に電源部からの電力が供給可能となる電気掃除機であって、
前記ハンドルの把手部の延びる方向に位置して前記第２接続端子を設けたことを特徴とする電気掃除機。
【請求項２】
下ケースと、この下ケースの上に着脱可能に接続された上ケースと、前記下ケースと上ケースのどちらか一方に設けた電動部と、他方のケースに設けられるとともに前記電動部に電力を供給するための電源部と、前記下ケースに設けた第１接続端子と、上ケースに設けられるとともに下ケースにこの上ケースを接続した際に前記第１接続端子に接続される第２接続端子と、その上ケースに回動可能に軸支されるハンドルとを備え、前記第１接続端子と第２接続端子とが接続されることにより前記電動部に電源部からの電力が供給可能となる電気掃除機であって、
前記ハンドルの回動軸方向に位置して前記第２接続端子を設けたことを特徴とする電気掃除機。
【発明の詳細な説明】
【０００１】
【発明の属する技術分野】
この発明は、下ケースと、この下ケースの上に分離可能に接続される上ケースとを有する電気掃除機に関する。
【０００２】
【従来の技術】
従来から、図１０に示す電気掃除機が知られている。かかる電気掃除機１は、集塵室（図示せず）を有する下ケース２と、その集塵室を負圧にする電動送風機を内蔵するとともにその下ケース２の上に分離可能に載置された上ケース３とを備えている。下ケース２の上部は開口され、下ケース２の下部には図示しないバッテリが設けられている。また、下ケース２の上部開口には図示しないフィルタが設けられており、上ケース３によってその開口は閉塞されるようになっている。上ケース３のフランジ３Ｆにはホース４の一端が着脱可能に接続される接続口５が設けられており、この接続口５に接続されたホース４の他端には延長管６が着脱自在に装着され、その延長管６の先端には吸込口体７が着脱自在に装着されている。また、上ケース３の上面には電動送風機の電源スイッチ８が設けられている。
【０００３】
掃除を行う場合には、電源スイッチ８をオンすればバッテリにより電動送風機が駆動し、吸込口体７から空気が吸引され、この空気が延長管６，ホース４を介して下ケース２の集塵室へ吸引されていく。この空気とともに集塵室に吸引された塵埃はこの集塵室に集塵されていく。また、集塵室に吸引された空気は図示しないフィルタを介して電動送風機へ吸引され、この電動送風機から上ケース３の排気口（図示せず）を介して外へ排気される。
【０００４】
【発明が解決しようとする課題】
ところで、このような電気掃除機にあっては、集塵室に溜まった塵埃を捨てる場合、上ケース３のハンドル９の把手部９Ａを持って下ケース２から外すとともに下ケース２に取り付けられたフィルタを外して下ケース２の集塵室の塵埃を捨てている。そして、再度上ケース３を下ケース２に接続するが、上ケース３には電動送風機に電気的に接続された接続端子が設けられており、下ケース２にはバッテリに電気的に接続された接点が設けられており、この上ケース３の接続端子と下ケースの接点とを接続する必要がある。
【０００５】
しかしながら、上ケース３に設けたハンドル９の把手部９Ａの延びる方向と直交する方向に接続端子および接点が設けられていると、その把手部９Ａを握りながらその把手部９Ａと直交する方向の操作を行って上ケースの接続端子を下ケース２の接点に接続してから上ケース３を下ケース２に接続するが、その把手部９Ａの延びる方向と直交する方向の操作がしずらく、その接続端子の接続操作が面倒であるという問題がある。
【０００６】
また、ハンドル９を上ケース３の上面に沿って収納できるように上ケース３に回動自在に設けた構成においては、ハンドル９の回動軸方向と直交する方向に位置して接続端子を設けると、ハンドルを把持した際、上ケースが回動軸を中心にぐらつき易いため、接続端子と下ケースの接点との接続操作が面倒であるという問題がある。
【０００７】
この発明の目的は、上ケースを下ケースに接続する際の接続端子の接続が簡単に行える電気掃除機を提供することにある。
【０００８】
【課題を解決するための手段】
この発明の電気掃除機は、下ケースと、この下ケースの上に着脱可能に接続された上ケースと、この上ケースの上面に設けたハンドルと、前記下ケースと上ケースのどちらか一方に設けた電動部と、他方のケースに設けられるとともに前記電動部に電力を供給するための電源部と、前記下ケースに設けた第１接続端子と、上ケースに設けられるとともに下ケースにこの上ケースを接続した際に前記第１接続端子に接続される第２接続端子とを備え、前記第１接続端子と第２接続端子とが接続されることにより前記電動部に電源部からの電力が供給可能となる電気掃除機であって、前記ハンドルの把手部の延びる方向に位置して前記第２接続端子を設けたことを特徴とする。
【０００９】
【発明の実施の形態】
以下、この発明の実施の形態を図面に基づいて説明する。
【００１０】
［第１の実施の形態］
図１〜図３において、電気掃除機１０は、集塵室２２を有するとともに上部に開口２１を形成した円筒状の下ケース２０と、その集塵室２２に着脱自在に設置されるとともに上部に開口３１を形成した円筒状の集塵ケース３０と、この集塵ケース３０の開口３１に着脱自在に設置されたフィルタ体４０と、下ケース２０の上に分離可能に接続された円筒状の上ケース５０等とを備えている。なお、６１はホース、６２は延長管、６３は吸込口体である。
【００１１】
下ケース２０は、仕切壁２３によって上下に集塵室２２とバッテリ室２４とに仕切られており、バッテリ室２４には電源部としてのバッテリ２５が取り出し可能に収納されている。また、下ケース２０の外側面の上部には端子取付部７１と上ケース５０を下ケース２０に固定するクランプ２６とが設けられている。端子取付部７１には図４に示すようにバッテリ２５の両電極にそれぞれ電気的に接続された第１接続端子としての一対の電源端子７２Ａ、７２Ｂが設けられている。
【００１２】
集塵ケース３０は下ケース２０の上縁に係合させるフランジ３２を上部に形成している。この集塵ケース３０はフランジ３２を下ケース２０の上縁に載置して下ケース２０の集塵室２２内に着脱自在に設置するものである。
【００１３】
フィルタ体４０は、集塵ケース３０に着脱自在に装着されるフィルタ枠４１と、このフィルタ枠４１に取り付けられたフィルタ４２とを有している。フィルタ４２はウレタンから構成され、このフィルタ４２の上は布フィルタ４３によって覆われている。
【００１４】
フィルタ枠４１には集塵ケース３０のフランジ３２上に載置するフランジ４４が形成されている。このフランジ４４にはホース６１の一端が挿入される挿入口４５と、この挿入口４５の下部に旋回流を発生させるためのサイクロン部４６とが形成されている。
【００１５】
上ケース５０は、下端に開口５１を有する筒状に形成され、その下部に下ケース２０の上部に着脱可能に装着されるフランジ５２を有している。フランジ５２にはホース６１の一端が着脱可能に接続されるホース接続口５３と電源スイッチＳとが設けられている。上ケース５０を下ケース２０に装着した際にそのホース接続口５３とフィルタ枠４１の挿入口４５とが重なるようになっている。また、フランジ５２の端部には、下ケース２０の端子取付部７１に対向して端子保持部７３が設けられており、図４に示すように、この端子保持部７３には後述する電動部としての電動送風機８０の両電極に電気的に接続された第２接続端子としての一対の接続端子７４Ａ、７４Ｂが設けられている。そして、下ケース２０に上ケース５０を装着すると、下ケース２０の電源端子７２Ａ、７２Ｂと上ケース５０の接続端子７４Ａ、７４Ｂとが接続するようになっている。
【００１６】
また、上ケース５０内には電動送風機８０が設けられており、この電動送風機８０の吸気口８１が上ケース５０の開口５１に臨んでいる。上ケース５０の上部の周壁には複数の排気口５４が形成され、電動送風機８０の排気孔８２から排出された空気がその排気口５４を介して外へ排気される。
【００１７】
上ケース５０の上面にはハンドル９０が設けられており、このハンドル９０の把手部９０Ａは図５に示すように端子保持部７３の接続端子７４Ａ、７４Ｂ間の中間点を通る上ケース５０の直径方向の線上に沿って延びている。換言すれば、ハンドル９０の把手部９０Ａの延びる方向に位置して接続端子７４Ａ、７４Ｂ並びに電源端子７２Ａ、７２Ｂが位置することとなる。
【００１８】
［動　作］
次に、上記のように構成される電動掃除機の動作について説明する。
【００１９】
先ず、ホース６１、延長管６２、吸込口体６３を図１に示すようにそれぞれ接続する。そして、上ケース５０の電源スイッチＳをオンにして電動送風機８０を駆動させる。この電動送風機８０の駆動により下ケース２０の集塵ケース３０内が負圧となって吸込口体６３から塵埃が吸引されていく。この吸込口体６３から吸引される塵埃は延長管６２及びホース６１を介して集塵ケース３０へ吸引され、集塵ケース３０内に集塵されていく。
【００２０】
集塵ケース３０内に吸引された空気はフィルタ４２、４３を介して電動送風機８０に吸引されて電動送風機８０の排気孔８２から排出され、上ケース５０の排気口５４から排気される。
【００２１】
集塵ケース３０に溜まった塵埃を捨てるには、先ずホース６１を上ケース５０のホース接続口５３から外すとともにクランプ２６を外し、次に上ケース５０を図２に示すように下ケース２０から取り外す。そして、下ケース２０から集塵ケース３０を取り外し、この集塵ケース３０をゴミ箱やゴミ捨て場まで持ち運ぶ。次に集塵ケース３０からフィルタ体４０を外して集塵ケース３０を逆さまにして集塵ケース３０内の塵埃を捨てる。
【００２２】
そのゴミ捨て終了後、再び、上ケース５０を下ケース２０に取り付けることになるが、その際には、作業者はハンドル９０を持ち、下ケース２０の電源端子７２Ａ、７２Ｂに上ケース５０の接続端子７４Ａ、７４Ｂを接続するように行う。この実施形態の場合、ハンドル９０の把手部９０Ａの延びる方向に位置して端子取付部７１，７３、言い換えれば電源端子７２Ａ、７２Ｂ及び接続端子７４Ａ、７４Ｂが設けられる構成となっているため、把手部９０Ａの延びる方向の操作は簡単に行えることにより、その電源端子７２Ａ、７２Ｂ及び接続端子７４Ａ、７４Ｂの接続操作は簡単なものとなる。
【００２３】
なお、把手部９０Ａの延びる方向とは図５に示すように把手部９０Ａの中心線から若干ずれていてもよい。
【００２４】
［第２の実施の形態］
図６及び図７は第２の実施の形態を示す。以下、この第２の実施の形態について説明する。なお、第１の実施の形態と同様な構成についての説明は省略する。
【００２５】
上ケース５０の上面に凹部１００が形成されるとともに、ハンドル９０の両端部が軸（回動軸）１１０によって軸支されている。これにより、このハンドル９０が軸回りに回動して傾倒することにより上ケース５０の上面に沿って凹部１００に収納されるようになっている。そして、ハンドル９０の回動軸１１０方向は把手部９０Ａの延びる方向と同様であり、したがって、接続端子７４Ａ，７４Ｂは回動軸１１０方向に位置して設けられている。すなわち、接続端子７４Ａ，７４Ｂは回動軸１１０の軸線上あるいは軸線上の近傍に位置している。
【００２６】
この第２の実施の形態においては、ハンドル９０の回動軸１１０の延びる方向に位置して電源端子７２Ａ、７２Ｂ及び接続端子７４Ａ、７４Ｂが設けられているので、ハンドル９０を把持した際に上ケース５０が軸１１０回りに回動しても接続端子７４Ａ，７４Ｂはほとんど移動しないため、電源端子７２Ａ，７２Ｂとの位置合わせが容易となり、その電源端子７２Ａ、７２Ｂ及び接続端子７４Ａ、７４Ｂの接続操作は簡単なものとなる。
【００２７】
【発明の効果】
以上説明したように、この発明によれば、上ケースを下ケースに接続する際、第１、第２接続端子の接続操作は簡単なものとなる。
【図面の簡単な説明】
【図１】この発明の第１の実施の形態に係る電気掃除機の外観をを示す斜視図である。
【図２】図１に示す電気掃除機の下ケースから上ケースを取り外した状態を示す断面図である。
【図３】図１に示す電気掃除機の構成を示す断面図である。
【図４】下ケースの電源端子と上ケースの接続端子とを示した説明図である。
【図５】上ケースを示した平面図である。
【図６】第２の実施の形態の上ケースを示した平面図である。
【図７】図６のＶＩＩ−ＶＩＩ線に沿う断面図である。
【図８】ハンドルを凹部内に収納した状態を示した上ケースの平面図である。
【図９】図８のＩＸ−ＩＸ線に沿う断面図である。
【図１０】従来の電気掃除機の示す説明図である。
【符号の説明】
２０　下ケース
２５　バッテリ
５０　上ケース
７２　電源端子
７４　接続端子
８０　電動送風機
９０　ハンドル
９０Ａ　把手部
【図１】
2004073231.tif 000003
【図２】
2004073231.tif 000004
【図３】
2004073231.tif 000005
【図４】
2004073231.tif 000006
【図５】
2004073231.tif 000007
【図６】
2004073231.tif 000008
【図７】
2004073231.tif 000009
【図８】
2004073231.tif 000010
【図９】
2004073231.tif 000011
【図１０】
2004073231.tif 000012